(57)【要約】【課題】装置を小型にして省スペース化を図ることができると共に、装置コストを低減することができる液晶移送装置を提供する。【解決手段】脱気前の液晶７１を貯溜する貯溜槽１０と、液晶を減圧雰囲気下で脱気して貯溜する脱気槽２０と、脱気槽２０から移送される液晶を液晶セル６０に供給する供給槽３０とを備え、貯溜槽１０と減圧状態の脱気槽２０との圧力差により、移送管４０を介して貯溜槽１０から脱気槽２０へ液晶を移送し、脱気槽２０と減圧状態の供給槽３０との圧力差により、移送管５０を介して脱気槽２０から供給槽３０へ液晶を移送する。【選択図】図１
2008139383.tif 000002
【特許請求の範囲】
【請求項１】
液晶を貯溜する第１の槽と、
前記第１の槽から液晶が移送される第２の槽とを備え、
前記第１の槽と前記第２の槽との圧力差により、前記第１の槽から前記第２の槽へ液晶を
移送することを特徴とする液晶移送装置。
【請求項２】
前記第２の槽から液晶が移送される第３の槽とを備え、
前記第２の槽と前記第３の槽との圧力差により、前記第２の槽から前記第３の槽へ液晶を
移送することを特徴とする請求項１記載の液晶移送装置。
【請求項３】
前記第１の槽を、液晶を減圧雰囲気下で脱気して貯溜すると共に減圧状態を解除可能な脱
気槽とし、
前記第２の槽を、液晶を減圧雰囲気下で液晶装置の半製品に供給する供給槽とすること
を特徴とする請求項１記載の液晶移送装置。
【請求項４】
前記第１の槽を、脱気前の液晶を貯溜する貯溜槽とし、
前記第２の槽を、液晶を減圧雰囲気下で脱気する脱気槽とすることを特徴とする請求項
１記載の液晶移送装置。
【請求項５】
前記第１の槽を、脱気前の液晶を貯溜する貯溜槽とし、
前記第２の槽を、液晶を減圧雰囲気下で脱気して貯溜すると共に減圧状態を解除可能な
脱気槽とし、
前記第３の槽を、液晶を減圧雰囲気下で液晶装置の半製品に供給する供給槽とすること
を特徴とする請求項２記載の液晶移送装置。
【請求項６】
前記圧力差で移送される液晶の移送量を制御する制御部を設けることを特徴とする請求
項１〜５の何れかに記載の液晶移送装置。
【請求項７】
前記第１の槽、前記第２の槽若しくはその双方に貯溜される液晶の液面下に一端を配置
する移送管で液晶を移送することを特徴とする請求項１〜６の何れかに記載の液晶移送装
置。
【請求項８】
前記移送管の一端を前記貯溜される液晶の底部近傍に配置することを特徴とする請求項
７記載の液晶移送装置。
【請求項９】
前記供給槽へ移送するために前記脱気槽に貯溜される脱気後の液晶の液面下に前記移送
管の一端を配置することを特徴とする請求項７又は８記載の液晶移送装置。
【請求項１０】
前記供給槽のディスペンサに液晶を移送し、前記ディスペンサで前記液晶装置の半製品
に液晶を滴下することを特徴とする請求項３、５〜９の何れかに記載の液晶移送装置。
【請求項１１】
前記脱気槽内に吐出された液晶が前記減圧雰囲気と接触しながら沿うように流れ、前記減
圧雰囲気と液晶との接触を促進する接触促進部を備えることを特徴とする請求項３〜１０
の何れかに記載の液晶移送装置。
【請求項１２】
前記接触促進部として、前記吐出された液晶が略放射状に拡がるように流れる吐出受面を
有することを特徴とする請求項１１記載の液晶移送装置。
【請求項１３】
前記吐出受面を回転させ、前記吐出受面の中心近傍に液晶を吐出することを特徴とする
請求項１２記載の液晶移送装置。
【請求項１４】
液晶を貯溜する第１の槽と第２の槽との圧力差により、前記第１の槽から前記第２の槽
へ液晶を移送することを特徴とする液晶移送方法。
【請求項１５】
請求項１〜１３の何れかに記載の液晶移送装置で液晶を移送して液晶装置に充填するこ
とを特徴とする液晶装置の製造方法。
【発明の詳細な説明】
【技術分野】
【０００１】
本発明は、液晶装置に充填される液晶を移送する液晶移送装置、液晶移送方法及び液晶
装置の製造方法に関する。
【背景技術】
【０００２】
液晶装置に充填される液晶は、液晶を貯溜する貯溜槽から液晶セル等の半製品に液晶を
供給する供給槽まで移送されるが、その移送には圧送ポンプを用いるのが一般的である。
例えば脱気前の液晶を貯溜する貯溜槽から脱気チューブで液晶を脱気する脱気槽へ圧送ポ
ンプで液晶を圧送する。その後、脱気後の液晶を貯溜する受槽から、減圧状態で液晶セル
に液晶を注入する供給槽へ、圧送ポンプで液晶を圧送する（特許文献１参照）。
【０００３】
【特許文献１】特開平５−２８９０３６号公報
【発明の開示】
【発明が解決しようとする課題】
【０００４】
ところで、上記液晶の移送は、多数の圧送ポンプを設けて行うものであるため、装置が
大型化し、装置コストが高価になるという問題がある。
【０００５】
本発明は上記問題点に鑑み提案するものであって、装置を小型にして省スペース化を図
ることができると共に、装置コストを低減することができる液晶移送装置、液晶移送方法
及び液晶装置の製造方法を提供することを目的とする。
【課題を解決するための手段】
【０００６】
本発明の液晶移送装置は、液晶を貯溜する第１の槽と、前記第１の槽から液晶が移送さ
れる第２の槽とを備え、前記第１の槽と前記第２の槽との圧力差により、前記第１の槽か
ら前記第２の槽へ液晶を移送することを特徴とする。第１、第２の槽は、液晶を移送する
工程に配置される適宜の槽とすることが可能である。本発明によれば、第１の槽から第２
の槽へ液晶を移送するための圧送ポンプを設ける必要が無くなるので、装置の小型化によ
る省スペース化を図ることができると共に、装置コストを低減することができる。
【０００７】
本発明の液晶移送装置は、前記第２の槽から液晶が移送される第３の槽とを備え、前記
第２の槽と前記第３の槽との圧力差により、前記第２の槽から前記第３の槽へ液晶を移送
することを特徴とする。第３の槽は、液晶を移送する工程に配置される適宜の槽とするこ
とが可能である。本発明によれば、第１の槽から第２の槽へ液晶を移送する圧送ポンプと
、第２の槽から第３の槽へ液晶を移送するための圧送ポンプの双方を設ける必要が無くな
るので、装置の小型化による一層の省スペース化を図ることができると共に、装置コスト
を一層低減することができる。
【０００８】
本発明の液晶移送装置は、前記第１の槽を、液晶を減圧雰囲気下で脱気して貯溜すると
共に減圧状態を解除可能な脱気槽とし、前記第２の槽を、液晶を減圧雰囲気下で液晶装置
の半製品に供給する供給槽とすることが好ましい。本発明によれば、装置の小型化による
省スペース化、装置コストの低減を図ることができると共に、圧力差を得るために、液晶
装置の半製品に液晶を供給するための供給槽の減圧状態を有効に利用することができる。
【０００９】
本発明の液晶移送装置は、前記第１の槽を、脱気前の液晶を貯溜する貯溜槽とし、前記
第２の槽を、液晶を減圧雰囲気下で脱気する脱気槽とすることが好ましい。本発明によれ
ば、装置の小型化による省スペース化、装置コストの低減を図ることができると共に、圧
力差を得るために、液晶を脱気するための脱気槽の減圧状態を有効に利用することができ
る。
【００１０】
本発明の液晶移送装置は、前記第１の槽を、脱気前の液晶を貯溜する貯溜槽とし、前記
第２の槽を、液晶を減圧雰囲気下で脱気して貯溜すると共に減圧状態を解除可能な脱気槽
とし、前記第３の槽を、液晶を減圧雰囲気下で液晶装置の半製品に供給する供給槽とする
ことが好ましい。本発明によれば、装置の小型化による一層の省スペース化、装置コスト
の一層の低減を図ることができると共に、圧力差を得るために、液晶を脱気するための脱
気槽の減圧状態と、液晶装置の半製品に液晶を供給するための供給槽の減圧状態の双方を
有効に利用することができる。
【００１１】
本発明の液晶移送装置は、前記圧力差で移送される液晶の移送量を制御する制御部を設
けることが好ましい。本発明によれば、各槽間の液晶の移送量を最適な量に調整すること
ができる。
【００１２】
本発明の液晶移送装置は、前記第１の槽、前記第２の槽若しくはその双方に貯溜される
液晶の液面下に一端を配置する移送管で液晶を移送することが好ましい。本発明によれば
、気泡が集まりやすい貯溜液晶の液面より下に移送管の一端を配置することで、移送する
液晶へのガスの混入を抑制することができる。
【００１３】
本発明の液晶移送装置は、前記移送管の一端を前記貯溜される液晶の底部近傍に配置す
ることが好ましい。本発明よれば、気泡が集まりやすい液面から離れた貯溜液晶の底部近
傍に一端を配置することで、移送する液晶へのガスの混入を一層抑制できる。
【００１４】
本発明の液晶移送装置は、前記供給槽へ移送するために前記脱気槽に貯溜される脱気後
の液晶の液面下に前記移送管の一端を配置することが好ましい。本発明によれば、液晶装
置の半製品に供給される脱気後の液晶へのガスの混入を防止できる。
【００１５】
本発明の液晶移送装置は、前記供給槽のディスペンサに液晶を移送し、前記ディスペン
サで前記液晶装置の半製品に液晶を滴下することが好ましい。本発明によれば、液晶の使
用量を必要最小限に抑えることができる。
【００１６】
本発明の液晶移送装置は、前記脱気槽内に吐出された液晶が前記減圧雰囲気と接触しな
がら沿うように流れ、前記減圧雰囲気と液晶との接触を促進する接触促進部を備えること
を特徴とする。本発明によれば、液晶が接触促進部に沿うように流れ、表面積の大きい状
態で減圧雰囲気と接触する時間が延び、減圧雰囲気と液晶の接触量が増加するので、高い
処理能力で液晶を脱気することができる。また、脱気チューブで脱気する場合には脱気チ
ューブの容量で脱気量に制限が生ずるが、斯様な脱気量の制限が無く、脱気槽内に所要量
だけ液晶を吐出して脱気することが可能であり、少量の液晶も脱気することができる。ま
た、脱気チューブを用いた場合に生ずる余剰液晶の残存、液晶への不純物混入、メンテナ
ンスが煩雑となるという問題が無く、余剰の液晶の残存や、液晶への不純物混入の虞が無
く、メンテナンス性にも優れる。
【００１７】
本発明の液晶移送装置は、前記接触促進部として、前記吐出された液晶が略放射状に拡
がるように流れる吐出受面を有する構成とすることが好ましい。本発明によれば、液晶を
略放射状に拡げ、減圧雰囲気との接触を均一化しつつ減圧雰囲気との接触面積の拡大を図
れるので、液晶に対する脱気の均一性を高め、脱気率をより向上することができる。
【００１８】
本発明の液晶移送装置は、前記吐出受面を回転させ、前記吐出受面の中心近傍に液晶を
吐出することが好ましい。本発明によれば、前記吐出された液晶が回転の遠心力で均一に
拡がるので、液晶に対する脱気の均一性をより高めることができると共に、遠心力で液晶
が薄く引き延ばされ表面積が一層拡大されるので、脱気率をより一層高めることができる
。更に、遠心力で液晶が薄く引き延ばされるので、高粘度の液晶も良好に脱気することが
できる。更に、遠心力で液晶が素早く表面積を拡大するので、脱気処理の効率を高めるこ
とができる。
【００１９】
また、本発明の液晶移送方法は、液晶を貯溜する第１の槽と第２の槽との圧力差により
、前記第１の槽から前記第２の槽へ液晶を移送することを特徴とする。本発明によれば、
装置の小型化による省スペース化、装置コストの低減を図ることができる。
【００２０】
また、本発明の液晶装置の製造方法は、本発明の液晶移送装置で液晶を移送して液晶装
置に充填することを特徴とする。本発明によれば、本発明の液晶移送装置の効果に基づき
、液晶装置の製造コストの低減、製造工程の効率化、液晶装置の歩留まり向上の効果が得
られる。
【発明を実施するための最良の形態】
【００２１】
本発明の実施形態について図面を参照して説明する。
【００２２】
［第１実施形態］
図１は、本発明の液晶移送装置の第１実施形態を示す模式図である。第１実施形態の液
晶移送装置は、図１に示すように、脱気前の液晶を貯溜する貯溜槽１０と、液晶を減圧雰
囲気下で脱気して貯溜する脱気槽２０と、脱気槽２０から移送される液晶を液晶セル６０
に供給する供給槽３０と、貯溜槽１０から脱気槽２０へ液晶を移送する移送管４０と、脱
気槽２０から供給槽３０へ液晶を移送する移送管５０を備える。
【００２３】
貯溜槽１０は、大気圧下且つ常温で脱気前の液晶７１を貯溜する。貯溜槽１０の底部近
傍、即ち貯溜槽１０の貯溜液晶７１の底部近傍には移送管４０の一端が配置され、貯溜槽
１０から移送管４０が導出されている。前記底部近傍のように貯溜される液晶７１の液面
下に移送管４０の一端を配置することにより、移送管４０で移送する液晶に、気泡が集ま
りやすい液晶７１の液面から気泡が混入することを防止することができる。また、貯溜槽
１０は、前記大気圧下で液晶７１を貯溜する構成以外にも、後述する脱気槽２０の減圧状
態の圧力より高い圧力を液晶に付加可能な適宜の構成とすることが可能である。
【００２４】
脱気槽２０は、図１に示すように、減圧状態を維持する密閉可能な構造を有し、バルブ
２１を介して真空ポンプ２２が設けられていると共に、脱気槽２０内を大気に開放するた
めのバルブ２３が設けられ、バルブ２３の閉塞、真空ポンプ２２の駆動、バルブ２１の開
放により脱気槽２０内を減圧し、バルブ２１の閉塞、バルブ２３の開放により脱気槽２０
内の減圧状態を解除して大気圧にすることが可能である。脱気槽２０の減圧時の圧力は、
貯溜槽１０の圧力より低い圧力で、液晶中の溶存ガスの気泡化による液晶装置の表示不良
が発生しないレベルで、液晶中の溶存ガスを除去できる圧力であれば適宜であり、例えば
６Ｐａ程度とする。脱気槽２０の減圧状態を解除した際の圧力は、前記大気圧にする以外
にも、後述する減圧時の供給槽３０若しくはそのディスペンサ３４の圧力よりも高い適宜
の圧力にする構成とすることが可能であり、例えば減圧時に閉塞しているバルブ２３の開
放量を少なくして大気圧よりも低い圧力にしてもよい。
【００２５】
脱気槽２０内には、円板状のステージ２４が吐出受面２４１である平滑な上面を略水平
にして中位の高さに静止配置されている。吐出受面２４１は撥水性の素材で形成すると好
適であり、例えばテフロン（登録商標）若しくはピーク（登録商標）等でステージ２４を
形成する、或いはこれらを基材にコート塗装して吐出受面２４１を形成するとよい。脱気
槽２０内には、ステージ２４の中心を貫通するように上下方向に支柱２５が立設され、支
柱２５はステージ２４を固定して支持している。図２に示すように、ステージ２４の吐出
受面２４１には、移送管５０の外径よりも僅かに大きい径を有する貫通孔２４２が形成さ
れている。図１及び図２に示すように、脱気槽２０内には移送管４０が導入されており、
移送管４０の他端は吐出受面２４１の中心に近い位置まで延ばされ、移送管４０で移送さ
れる液晶を前記他端から吐出受面２４１の中心近傍に滴下可能である。脱気槽２０内の下
部には脱気された液晶７２が貯溜され、脱気槽２０の底部近傍、即ち脱気槽２０内に貯溜
される液晶７２の底部近傍に移送管５０の一端が配置されている。前記底部近傍のように
貯溜される液晶７２の液面下に移送管５０の一端を配置することにより、移送管５０で移
送する液晶に、気泡が集まりやすい液晶７２の液面から気泡が混入することを防止するこ
とができる。移送管５０は貫通孔２４２に挿通されて上方へ延ばされ、脱気槽２０から導
出されている。
【００２６】
供給槽３０は、図１に示すように、減圧状態を維持する密閉可能な構造を有し、バルブ
３１を介して真空ポンプ３２が設けられていると共に、供給槽３０内を大気に開放するた
めのバルブ３３が設けられ、バルブ３３の閉塞、真空ポンプ３２の駆動、バルブ３１の開
放により供給槽３０内を減圧し、バルブ３１の閉塞、バルブ３３の開放により供給槽３０
内の減圧状態を解除して大気圧にすることが可能である。供給槽３０の減圧時の圧力は、
液晶セル６０など液晶装置の半製品への液晶の供給に支障がなく、脱気槽２０の減圧解除
時の圧力よりも低い圧力であれば適宜であり、例えば６Ｐａ程度とする。供給槽３０の減
圧状態を解除した際の圧力は、前記大気圧にする以外にも、液晶セル６０など液晶装置の
半製品への液晶の供給に支障がない圧力であれば適宜であり、例えば減圧時に閉塞してい
るバルブ３３の開放量を少なくして大気圧より低い圧力にしてもよい。
【００２７】
供給槽３０の上部には、液晶を滴下するディスペンサ３４が設けられている。ディスペ
ンサ３４には移送管５０の他端が導入され、移送管５０を介して移送される液晶がディス
ペンサ３４内に供給される。供給槽３０には、図示しない搬送機構で液晶セル６０が搬送
されて所定位置に配置され、減圧状態で液晶充填口６３１近傍の基板６１上にディスペン
サ３４から液晶７３が滴下され、バルブ３１の閉塞、バルブ３３の開放により供給槽３０
内を大気に開放し、後述する液晶セル６０の空間６６の減圧状態と供給槽３０内の大気圧
との圧力差により、即ち真空注入法により液晶セル６０の空間６６に液晶を注入して充填
する。
【００２８】
ここで、液晶セル６０について説明する。図３（ａ）は供給槽で液晶が滴下される液晶
セルを示す平面構成図、（ｂ）はそのＡ−Ａ線矢視断面図である。液晶セル６０は、図３
に示すように、一対の基板６１、６２がシール材６３を介して対向配置され、シール材６
３は基板６１、６２の周縁内側に沿って略額縁状に設けられている。一方の基板６１は他
方の基板６２よりも僅かに大きく形成され、平面視で、一方の基板６１の各側辺が他方の
基板６２より僅かに側方へ突出するように配置されている。シール材６３には、その一部
を開放して、基板６１、６２間のシール材６３で囲まれる空間６６に液晶を充填するため
の液晶充填口６３１が設けられており、液晶充填口６３１は液晶充填後に封止材で封止さ
れる。一方の基板６１には、シール材６３より内側の表示領域に複数の画素がマトリクス
状に形成され、画素毎に、画素電極と、画素電極に接続されるＴＦＴ（薄膜トランジスタ
）等のスイッチング素子と、スイッチング素子に接続される配線が設けられ、これらを覆
って配向膜６４が形成されている。前記配線は、基板６１のシール材６３の外側領域等に
設けられる駆動回路と接続される。また、他方の基板６２には、対向電極が設けられ、対
向電極を覆うように配向膜６５が形成されている。尚、液晶セル６０を構成する一対の基
板６１、６２の何れを素子基板とし、対向基板とするかは適宜である。
【００２９】
貯溜槽１０と脱気槽２０との間の移送管４０、脱気槽２０と供給槽３０との間の移送管
５０には、それぞれ液晶の移送量を制御する制御部としてバルブ４１、５１が設けられて
いる。バルブ４１、５１は、図示しない開閉制御部で開放モードと閉塞モードとに制御さ
れ、開放モードでは所定のＯＮ／ＯＦＦ時間（開閉時間）で開放と閉塞を繰り返し、移送
管４０、５０に断続的に液晶を流通させ、閉塞モードでは完全に閉塞し、移送管４０、５
０の液晶の流通を遮断する。バルブ４１の開放モードに於けるＯＮ／ＯＦＦ時間は例えば
０．１秒／０．３秒、バルブ５１の開放モードに於けるＯＮ／ＯＦＦ時間は例えば０．１
秒／０．３秒とするが、各バルブ４１、５１の開放モードのＯＮ／ＯＦＦ時間は、適宜設
定し、或いは変更設定することが可能であり、前記ＯＮ／ＯＦＦ時間の設定により、貯溜
槽１０から脱気槽２０、脱気槽２０から供給槽３０への液晶の移送量を調整可能である。
尚、開放モード時にはバルブ４１、５１を連続して開放する構成としてもよい。
【００３０】
次に、第１実施形態の液晶移送装置で液晶を移送する工程について説明する。図４は第
１実施形態の液晶移送工程のフローチャートである。先ず、貯溜槽１０に液晶７１が貯溜
され、脱気槽３０のバルブ２３が閉塞された状態で、真空ポンプ２２を駆動してバルブ２
１を開放することにより、脱気槽２０内を減圧する（Ｓ１０１）。次いで、貯溜槽１０か
ら脱気槽２０に液晶を移送する移送管４０のバルブ４１を開放モードにし（Ｓ１０２）、
貯溜槽１０の大気圧と脱気槽２０の減圧状態の圧力との圧力差により、移送管４０を介し
て貯溜槽１０の貯溜液晶７１を脱気槽２０内へ移送する（Ｓ１０３）。前記液晶の移送量
、即ち後述の脱気槽２０に於ける吐出受面２４１への液晶の吐出量は、所要レベルの脱気
が行える範囲であれば適宜であるが、例えば２００ｍｌ／時間程度の速度で移送・吐出さ
せるとよい。
【００３１】
脱気槽２０に移送された液晶は、移送管４０の他端からステージ２４の吐出受面２４１
の中心近傍に吐出される。前記吐出された液晶は、図２の二点鎖線矢印の如く、吐出受面
２４１に沿って前記中心近傍から吐出受面２４１の外周縁に向かって放射状に拡がるよう
に流れ、表面積を拡大して流れるので脱気が促進される。そして、ステージ２４の外周縁
や貫通孔２４２から下方へ落下し、脱気槽２０内の下部に貯溜される（Ｓ１０４）。この
際、貫通孔２４２に挿通されている移送管５０の外周面に液晶が付着し、液晶は、前記外
周面を落下面として、前記外周面を伝って表面積を拡大しながら落下するので、ここでも
液晶と減圧雰囲気との接触面積と接触時間が増加して脱気が促進される。所要量の液晶を
脱気した際には、移送管４０のバルブ４１を閉塞モードにして脱気槽２０への液晶の移送
・吐出を停止し、脱気処理を停止する。
【００３２】
そして、供給槽３０のバルブ３３が閉塞された状態で、真空ポンプ３２を駆動してバル
ブ３１を開放することにより、供給槽３０内を減圧し（Ｓ１０５）、供給槽３０内と連通
しているディスペンサ３４内も供給槽３０内と同一圧に減圧すると共に、脱気槽２０のバ
ルブ２１を閉塞し且つバルブ２３を開放して脱気槽２０の減圧状態を解除し、脱気槽２０
内を大気に開放して大気圧とする（Ｓ１０６）。次いで、脱気槽２０から供給槽３０に液
晶を移送する移送管５０のバルブ５１を所定時間開放モードにして（Ｓ１０７）、脱気槽
２０の大気圧と供給槽３０、ディスペンサ３４の減圧状態の圧力との圧力差により、移送
管５０を介して脱気槽２０の貯溜液晶７２を供給槽３０のディスペンサ３４内へ移送し（
Ｓ１０８）、バルブ５１を閉塞モードとする。尚、脱気槽２０は、ディスペンサ３４へ液
晶を移送する時のみ大気圧とし、貯溜槽１０からの液晶が供給される時や待機時には減圧
状態を維持する。
【００３３】
ディスペンサ３４内へ移送された液晶７３は、図１及び図３の二点鎖線矢印の如く、供
給槽３０内で配置されている液晶セル６０の液晶充填口６３１近傍の基板６１上に滴下さ
れる。ディスペンサ３４で液晶を滴下することにより、液晶の使用量を必要最小限に抑え
ることが可能である。前記液晶滴下後には、バルブ３１を閉塞し且つバルブ３３を開放し
て供給槽３０の減圧状態を解除し、供給槽３０内を大気に開放して大気圧とし、供給槽３
０内の大気圧と液晶セル６０の空間６６の減圧された圧力との圧力差により、空間６６に
液晶充填口６３１から液晶を充填する（Ｓ１０９）。液晶充填後の液晶充填口６３１は封
止材で封止される。
【００３４】
［第２実施形態］
次に、図５及び図６を参照して本発明の第２実施形態について説明する。尚、第２実施
形態の液晶移送装置は、脱気槽８０のみが第１実施形態と異なり、貯溜槽１０、供給槽３
０、移送管４０、５０及びバルブ４１、５１、液晶を充填される液晶セル６０は第１実施
形態と同一であるため、以下では脱気槽８０に関する箇所のみ説明する。図５は第２実施
形態の液晶移送装置に於ける脱気槽を示す断面説明図、図６はその脱気槽のステージを示
す斜視図である。
【００３５】
第２実施形態に於ける脱気槽８０は、図５に示すように、減圧状態を維持する密閉可能
な構造を有し、バルブ８１を介して真空ポンプ８２が設けられていると共に、脱気槽８０
を大気に開放するためのバルブ８３が設けられ、バルブ８３の閉塞、真空ポンプ８２の駆
動、バルブ８１の開放により脱気槽８０内を６Ｐａ程度に減圧し、バルブ８１の閉塞、バ
ルブ８３の開放により脱気槽８０の減圧状態を解除して大気圧にすることが可能である。
尚、脱気槽８０の減圧時の圧力、脱気槽８０の減圧解除時の圧力は、前記６Ｐａ、大気圧
以外にも、第１実施形態と同様に適宜設定して構成することが可能である。
【００３６】
脱気槽８０内には、円板状のステージ８４が吐出受面８４１である平滑な上面を略水平
にして中位の高さに配置されている。吐出受面８４１は第１実施形態と同様に撥水性の素
材で形成すると好適である。脱気槽８０の下部に設置されたモータ８６からは回転軸８５
が上方へ立設され、回転軸８５の上端がステージ８４の下面中心に固定されており、モー
タ８６の駆動で回転軸８５を回転させてステージ８４を回転可能である。ステージ８４の
側方及び下方の周囲には、略Ｗ字断面の回転体の形状である受部８７が設けられ、受部８
７の側周壁８７４はステージ８４の外周縁から離間して配置されている。受部８７の底板
８７５は、中心から外側に向かって斜め下方に傾斜して形成され、その中心には軸穴８７
１が設けられており、軸穴８７１に回転軸８５が挿通されている。側周壁８７４と底板８
７５が突合する位置の底部８７３の所定箇所には液晶の流路８７２が形成され、底部８７
３は流路８７２の上端開口に向かって低くなるように漸次傾斜している。流路８７２の下
端開口は液晶７２を貯溜する貯溜部８８に連通している。
【００３７】
脱気槽８０内には移送管４０が導入され、図６に示すように、導入された移送管４０の
他端はステージ８４の吐出受面８４１の中心に近い位置まで延ばされ、移送管４０で移送
される液晶を前記他端から吐出受面８４１の中心付近に滴下可能としている。また、気泡
が集まりやすい液晶７２の液面を避け、貯溜部８８の底部近傍、即ち、貯溜部８８に貯溜
される液晶７２の底部近傍に、脱気槽２０から液晶を移送する移送管５０の一端が配置さ
れ、移送管５０は脱気槽２０から導出されている。４１、５１はそれぞれ開閉制御で移送
管４０、５０の液晶移送量を調整するバルブである。
【００３８】
脱気槽８０で脱気処理を行う際には、図５及び図６に示すように、真空ポンプ８２の駆
動等で脱気槽１０内を減圧状態にし、図示しない回転制御部でモータ８６を駆動し、回転
軸８５を介してステージ８４の吐出受面８４１を回転させる。吐出受面８４１の回転速度
は、例えば１０００ｒｐｍとするが、所要レベルの脱気が可能であれば適宜であり、６０
０〜１５００ｒｐｍとすることが好ましく、より好適には８００〜１２００ｒｐｍとする
とよい。
【００３９】
そして、第１実施形態と同様に貯溜槽１０から脱気槽８０に移送管４０で移送した脱気
前の液晶を、移送管４０の先端から吐出受面８４１の中心付近に吐出する。液晶の吐出量
は、所要レベルの脱気が行える範囲であれば適宜であるが、例えば２００ｍｌ／時間程度
の速度で移送・吐出させると好ましい。前記吐出された液晶は、図６の二点鎖線矢印の如
く、吐出受面８４１に沿って前記中心付近から吐出受面８４１の外周縁に向かって放射状
に拡がるように流れ、表面積を拡大して流れるが、吐出受面８４１の回転の遠心力により
、液晶が薄く且つ均一に引き延ばされて表面積の拡大が促進される。前記表面積の拡大で
液晶と減圧雰囲気との接触面積が増加し、液晶の脱気率を高められ、又、液晶が均一に引
き延ばされるので、液晶に対する脱気の均一性を高められ、更に、遠心力で素早く液晶の
表面積が拡大されるので、脱気処理の効率を向上できる。
【００４０】
吐出受面８４１で表面積を拡大された液晶は、吐出受面８４１の外周縁から受部８７の
底部８７３へ落下するが、その一部は吐出受面８４１の遠心力で斜め下方へ飛ばされ、受
部８７の側周壁８７４の内周面に付着し、前記内周面を落下面として、前記内周面を伝っ
て表面積を拡大しながら底部８７３へ落下する。ここでも液晶と減圧雰囲気との接触面積
と接触時間が増加して脱気が促進される。底部８７３へ落下した液晶は、底部８７３の傾
斜面に沿って流路８７２の上端開口に集まり、流路８７２を通って貯溜部８８に貯溜され
る。その後、貯溜部８８に貯溜された液晶７２は、第１実施形態と同様に移送管５０を介
して供給槽３０のディスペンサ３４へ移送される。
【００４１】
［実施形態の変形例等］
本明細書に開示の発明は、上記課題解決手段の各発明の構成を一部変更したもの、或い
は各発明の構成を一部削除して上位概念化したものを包含するものであり、例えば以下の
ような上記実施形態等に種々の変更を加えたものも包含する。
【００４２】
脱気槽２０、８０に於ける、ステージ２４、８４の吐出受面２４１、８４１、又は、移
送管５０の外周面若しくは受部８７の側周壁８７４の内周面等の液晶が伝って沿うように
落下する落下面など、脱気槽２０、８０内で減圧雰囲気と接触しながら液晶が沿うように
流れる接触促進面の形状は平滑面としたが、これに限定されず、例えば接触促進面の部分
領域若しくは全体領域に凹凸を形成すると、表面積の大きい状態での液晶と減圧雰囲気と
の接触時間を増加できて良好である。前記凹凸は、例えば液晶の流れが乗り越えられるよ
うに、凸条若しくは突起など微細な凸部、凹溝若しくは窪みなど微細な凹部を形成する構
成、又は、起伏となる凸部若しくは凹部を形成する構成とすることが好ましく、更に、凸
部若しくは凹部とその他の領域とが曲面状に連続する形状とすると、乱流化を抑制し液晶
の流れをスムーズにできて好適である。また、凹凸の形成パターンは適宜であるが、所定
ピッチの連続パターンとすることが好ましく、例えば凸条を格子状に形成する構成、或い
は吐出箇所から略同心円状に所定ピッチで凸条を形成する構成とするとよい。図７はステ
ージ２４の吐出受面２４１に所定ピッチで格子状の凸条２４３を形成した例である。また
、凸条・突起など凸部の高さ、又は、凹溝・窪みなど凹部の深さは、吐出受面２４１、８
４１など接触促進面に沿って流れる液晶の厚さより小さくするか略同一とすると好適であ
り、例えば１ｍｍ前後の厚さで液晶が流れる場合には０ｍｍ超１ｍｍ以下とすることが好
ましい。
【００４３】
また、本発明の接触促進部は、略面状の接触促進面に限定されず、例えば吐出受面２４
１等に形成した液晶が沿うように流れる溝状の接触促進経路としてもよい。接触促進経路
の形状は、渦巻状の経路や、蛇行経路など適宜である。図８は吐出受面２４１に接触促進
経路として渦巻状の溝経路２４４を形成した例であり、吐出受面２４１の中心近傍に位置
する溝経路２４４の一端付近に液晶を滴下し、溝経路２４４に沿って液晶を流し、吐出受
面２４１の外周縁と接する溝経路２４４の他端から液晶を落下する構成である。溝経路２
４４は、その一端から他端へ漸次低くなるように底面を傾斜させると、粘性を有する液晶
が流れやすくなり好適である。
【００４４】
また、本発明の液晶の種類は限定されず、ネマティック液晶、スメクティック液晶、コ
レステリック液晶など適宜である。また、本発明では、常温の液晶を移送する構成に限定
されず、部分的若しくは全体的な移送経路に於いて、昇温した液晶を移送する構成として
もよく、液晶を昇温することで粘度を低下させ、移送処理や脱気処理の速さを高めること
ができる。液晶を昇温する場合には、例えば図１の貯溜槽１０にヒーターを設け、貯溜槽
１０の液晶７１を昇温して、移送管４０を介して脱気槽２０内に吐出する構成とする。液
晶を昇温する際の上限温度は、液晶の成分が変化する温度未満の所定温度とし、例えば６
０℃程度とする。また、貯溜槽１０、脱気槽２０の下部、貯溜部８８には、貯溜する液晶
７１、７２の液面の上限と下限を認知するレベルセンサを設け、レベルセンサの認知情報
をディスプレイ装置やスピーカ装置など各種装置に送って報知する構成とすることが好ま
しい。前記レベルセンサを設ける場合には、移送管４０、５０の一端は前記レベルセンサ
の下限液面より下側に設けることが好ましい。
【００４５】
また、供給槽３０で液晶が供給されるのは液晶セル６０に限定されず、液晶を供給可能
な種々の液晶装置の半製品とすることが可能である。例えば図９に示すように、液晶セル
６０の基板６２又は６１を貼り合わせる前の状態、即ち、略額縁状にシール材６３が形成
された基板６１又は６２としてもよい。この場合、基板６１のシール材６３で囲まれた領
域内にディスペンサ３４から所定ピッチで液晶７４が滴下され、その後に基板６２又は６
１を貼り合わせる滴下注入法で液晶が充填される。
【００４６】
また、供給槽３０で液晶装置の半製品に液晶を供給するのはディスペンサ３４に限定さ
れず、適宜の供給手段とすることが可能である。例えば図１０に示すように、ディスペン
サ３４に代えて浸漬槽３５を設けてもよい。この場合には、供給槽３０を減圧状態としな
がら、浸漬槽３５に移送管５０から液晶を供給し、液晶セル６０の液晶充填口６３１を浸
漬槽３５内の液晶溜まりに浸漬し、その後にバルブ３３を開放して大気に開放し、供給槽
３０の大気圧と液晶セル６０の空間６６の減圧状態の圧力との圧力差により、液晶充填口
６３１から空間６６内に液晶を注入する真空注入法で液晶を充填する。
【図面の簡単な説明】
【００４７】
【図１】本発明の液晶移送装置の第１実施形態を示す模式構成図である。
【図２】第１実施形態に於ける脱気槽のステージを示す斜視図である。
【図３】（ａ）は図１の液晶移送装置に於ける供給槽で液晶が滴下される液晶セルを示す平面構成図、（ｂ）はそのＡ−Ａ線矢視断面図である。
【図４】第１実施形態の液晶移送工程のフローチャートである。
【図５】第２実施形態の液晶移送装置に於ける脱気槽を示す断面説明図である。
【図６】第２実施形態に於ける脱気槽のステージを示す斜視図である。
【図７】（ａ）は吐出受面の変形例を示す平面図、（ｂ）は同図（ａ）の吐出受面を有するステージの部分縦断面である。
【図８】吐出受面の他の変形例を示す平面図。
【図９】供給槽のディスペンサからシール材を有する基板に液晶が滴下される例を示す斜視説明図である。
【図１０】変形例の供給槽及び液晶が注入される液晶セルを示す断面説明図である。
【符号の説明】
【００４８】
１０…貯溜槽  ２０、８０…脱気槽  ２１、２３、８１、８３…バルブ  ２２、８２…真
空ポンプ  ２４、８４…ステージ  ２４１、８４１…吐出受面  ２４２…貫通孔  ２４３
…凸条  ２４４…溝経路  ２５…支柱  ８５…回転軸  ８６…モータ  ８７…受部  ８７
１…軸穴  ８７２…流路  ８７３…底部  ８７４…側周壁  ８７５…底板  ８８…貯溜部
３０…供給槽  ３１、３３…バルブ  ３２…真空ポンプ  ３４…ディスペンサ  ３５…
浸漬槽  ４０、５０…移送管  ４１、５１…バルブ  ６０…液晶セル  ６１、６２…基板
６３…シール材  ６３１…液晶充填口  ６４、６５…配向膜  ６６…空間  ７１、７２
、７３、７４…液晶
【図１】
2008139383.tif 000003
【図２】
2008139383.tif 000004
【図３】
2008139383.tif 000005
【図４】
2008139383.tif 000006
【図５】
2008139383.tif 000007
【図６】
2008139383.tif 000008
【図７】
2008139383.tif 000009
【図８】
2008139383.tif 000010
【図９】
2008139383.tif 000011
【図１０】
2008139383.tif 000012